(57)【要約】【課題】Ｗｅｂページのアクセス履歴を二次元的に複数系統管理することにより、過去に参照したＷｅｂページのアクセスを容易にし、操作性と作業効率を向上させることを目的としている。【解決手段】表示したＷｅｂページを、Ｗｅｂブラウザの「戻る」ボタン、または「次（進む）」ボタンの入力によるものか、ＵＲＬ(Uniform Resource Locator)を指定して表示を指示されたものであるかどうかを判定し、表示したＷｅｂページに対して、同じ系統のＷｅｂページ毎に表示された順にＵＲＬとＷｅｂページ識別情報をアクセス履歴情報として記憶し、Ｗｅｂブラウザの「戻る」ボタンを右クリックした際に表示されるＷｅｂページのアクセス履歴を、アクセス履歴情報に基づき同じ系統のＷｅｂページ毎に表示された順に表示する。【選択図】図１
2005157842.tif 000002
【特許請求の範囲】
【請求項１】
表示したＷｅｂページを、Ｗｅｂブラウザの「戻る」ボタン、または「次（進む）」ボタンの入力によるものか、ＵＲＬ(Uniform Resource Locator)を指定して表示を指示されたものであるかどうかを判定するページ更新判定手段と、
前記表示したＷｅｂページに対して、同じ系統のＷｅｂページ毎に表示された順にＵＲＬとＷｅｂページ識別情報をアクセス履歴情報として記憶装置に記憶させるアクセス履歴記録手段と、
Ｗｅｂブラウザの「戻る」ボタンを右クリックした際に表示されるＷｅｂページのアクセス履歴を、前記アクセス履歴情報に基づき同じ系統のＷｅｂページ毎に表示された順に表示するアクセス履歴表示手段として
コンピュータを機能させるブラウザプログラム。
【請求項２】
前記アクセス履歴記録手段は、異なる系統のＷｅｂページが表示された場合、前記異なる系統のＷｅｂページのアクセス履歴情報と前記異なる系統のＷｅｂページに分岐した元となるＷｅｂページのアクセス履歴情報と関連付けて記憶装置に記憶させ、
前記アクセス履歴表示手段は、異なる系統のＷｅｂページの分岐元のＷｅｂページのアクセス履歴と分岐先のＷｅｂページのアクセス履歴を関連づけて表示する
請求項１記載のブラウザプログラム。
【請求項３】
表示したＷｅｂページを、Ｗｅｂブラウザの「戻る」ボタン、または「次（進む）」ボタンの入力によるものか、ＵＲＬ(Uniform Resource Locator)を指定して表示を指示されたものであるかどうかを判定するステップと、
前記表示したＷｅｂページに対して、同じ系統のＷｅｂページ毎に表示された順にＵＲＬとＷｅｂページ識別情報をアクセス履歴情報として記憶装置に記憶させるステップと、
Ｗｅｂブラウザの「戻る」ボタンを右クリックした際に表示されるＷｅｂページのアクセス履歴を、前記アクセス履歴情報に基づき同じ系統のＷｅｂページ毎に表示された順に表示するステップと
を有することを特徴とするブラウジング方法。
【請求項４】
異なる系統のＷｅｂページが表示された場合、前記異なる系統のＷｅｂページのアクセス履歴情報と前記異なる系統のＷｅｂページに分岐した元となるＷｅｂページのアクセス履歴情報と関連付けて記憶装置に記憶させ、
異なる系統のＷｅｂページの分岐元のＷｅｂページのアクセス履歴と分岐先のＷｅｂページのアクセス履歴を関連づけて表示する
請求項３記載のブラウジング方法。
【請求項５】
表示したＷｅｂページを、Ｗｅｂブラウザの「戻る」ボタン、または「次（進む）」ボタンの入力によるものか、ＵＲＬ(Uniform Resource Locator)を指定して表示を指示されたものであるかどうかを判定するページ更新判定手段と、
前記表示したＷｅｂページに対して、同じ系統のＷｅｂページ毎に表示された順にＵＲＬとＷｅｂページ識別情報をアクセス履歴情報として記憶装置に記憶させるアクセス履歴記録手段と、
Ｗｅｂブラウザの「戻る」ボタンを右クリックした際に表示されるＷｅｂページのアクセス履歴を、前記アクセス履歴情報に基づき同じ系統のＷｅｂページ毎に表示された順に表示するアクセス履歴表示手段と
を有することを特徴とするブラウジング装置。
【発明の詳細な説明】
【技術分野】
【０００１】
本発明は、Ｗｅｂブラウザのアクセス履歴管理に関し、特にＷｅｂページのアクセス履歴を二次元的に複数系統管理することにより、過去に参照したＷｅｂページのアクセスを容易にし、操作性と作業効率を向上させる技術に関したものである。
【背景技術】
【０００２】
Ｗｅｂブラウザにはアクセス履歴管理機能があり、「戻る」や「次（進む）」ボタンのクリック操作で今までアクセスしたＷｅｂページを再表示することが可能であるが、現状では以下に示すように一次元的な管理しかできていない。図６は従来のＷｅｂブラウザを使用して、それぞれ独立した内部業務監査規定、規程管理規程、及び規程管理規程細則の一部をアクセスした場合のＷｅｂページの遷移の例が示してある。
【０００３】
先ず、（１）で示す「内部業務監査規定の第１章  総則」のＷｅｂページが表示されていると仮定する。このＷｅｂページの「次頁」をクリックすると（２）で示す「内部業務監査規定の第２章  監査の範囲」のＷｅｂページが表示される。続けて、このＷｅｂページの「次頁」をクリックすると（３）で示す「内部業務監査規定の第３章  監査計画」のＷｅｂページが表示される。また、このＷｅｂページの「次頁」をクリックすると（４）で示す「内部業務監査規定の第４章  監査の実施」のＷｅｂページが表示される。さらに、このＷｅｂページの「次頁」をクリックすると（５）で示す「内部業務監査規定の第５章  監査報告書」のＷｅｂページが表示される。
【０００４】
（５）で示す「内部業務監査規定の第５章  監査報告書」のＷｅｂページが表示されている状態で、先程参照した「内部業務監査規定の第３章  監査計画」のＷｅｂページを再度参照するために、先ず、Ｗｅｂブラウザの「戻る」ボタンをクリックすると、（４）で示す「内部業務監査規定の第４章  監査の実施」のＷｅｂページが表示される。さらに、もう一度Ｗｅｂブラウザの「戻る」ボタンをクリックすると、（３）で示す「内部業務監査規定の第３章  監査計画」のＷｅｂページが表示される。
【０００５】
次に、「規程管理規程」を参照するために（３）で示す「内部業務監査規定の第３章  監査計画」のＷｅｂページの表示に戻った状態で、ＷｅｂブラウザのＵＲＬ表示領域に「規程管理規程」のＵＲＬを指定してＥｎｔｅｒキーを押下すると（６）で示す「規程管理規程の第１章  総則」のＷｅｂページが表示される。続けて、このＷｅｂページの「次頁」をクリックすると（７）で示す「規程管理規程の第２章  規程の種類」のＷｅｂページが表示される。さらに、このＷｅｂページの「次頁」をクリックすると（８）で示す「規程管理規程の第３章  規程に関する組織」のＷｅｂページが表示される。
【０００６】
（８）で示す「規程管理規程の第３章  規程に関する組織」のＷｅｂページが表示されている状態で、再度、「規程管理規程の第２章  規程の種類」を参照するために、Ｗｅｂブラウザの「戻る」ボタンをクリックすると、（７）で示す「規程管理規程の第２章  規程の種類」のＷｅｂページが再表示される。さらに、規程管理規程細則を参照するために、ＷｅｂブラウザのＵＲＬ表示領域に「規程管理規程細則」のＵＲＬを指定してＥｎｔｅｒキーを押下すると（９）で示す「規程管理規程細則」のＷｅｂページが表示される。
【０００７】
図７は、図６の（９）で示す「規程管理規程細則」のＷｅｂページが再表示されている状態で、Ｗｅｂブラウザの「戻る」ボタンをクリックするだけの操作によるＷｅｂページの遷移が示してある。１回目の「戻る」ボタンのクリックでは、（１０）で示す「規程管理規程の第２章  規程の種類」のＷｅｂページが再表示される。２回目の「戻る」ボタンのクリックでは、（１１）で示す「規程管理規程の第１章  総則」のＷｅｂページが再表示される。３回目の「戻る」ボタンのクリックでは、（１２）で示す「内部業務監査規定の第３章  監査計画」のＷｅｂページが再表示される。４回目の「戻る」ボタンのクリックでは、（１３）で示す内部業務監査規定の第２章  監査の範囲」のＷｅｂページが再表示される。そして、５回目の「戻る」ボタンのクリックでは、（１４）で示す「内部業務監査規定の第１章  総則」のＷｅｂページが再表示される。
【発明の開示】
【発明が解決しようとする課題】
【０００８】
しかしながら、上記のようにＷｅｂブラウザの「戻る」ボタンをクリックするだけの操作では、図６の（４）で示す「内部業務監査規定の第４章  監査の実施」のＷｅｂページ、（５）で示す「内部業務監査規定の第５章  監査報告書」のＷｅｂページ、（８）で示す「規程管理規程の第３章  規程に関する組織」のＷｅｂページは参照したにもかかわらず再表示されない。
【０００９】
これは、図６の（５）で示す「内部業務監査規定の第５章  監査報告書」のＷｅｂページが表示されている状態で、２回「戻る」ボタンを押下して（３）で示す「内部業務監査規定の第３章  監査計画」のＷｅｂページを再表示した状態で、ＷｅｂブラウザのＵＲＬ表示領域に「規程管理規程」のＵＲＬを指定してＥｎｔｅｒキーを押下し、（６）で示す「規程管理規程の第１章  総則」のＷｅｂページが表示されるまでに（４）で示す「内部業務監査規定の第４章  監査の実施」のＷｅｂページ、（５）で示す「内部業務監査規定の第５章  監査報告書」のＷｅｂページは、参照履歴として無効の扱いとなってしまうからである。
【００１０】
同じように（８）で示す「規程管理規程の第３章  規程に関する組織」のＷｅｂページが表示されている状態で、Ｗｅｂブラウザの「戻る」ボタンをクリックし、（７）で示す「規程管理規程の第２章  規程の種類」のＷｅｂページが再表示されている状態でＷｅｂブラウザのＵＲＬ表示領域に「規程管理規程細則」のＵＲＬを指定してＥｎｔｅｒキーを押下すると（９）で示す「規程管理規程細則」のＷｅｂページが表示されるまでに、（８）で示す「規程管理規程の第３章  規程に関する組織」のＷｅｂページは、参照履歴として無効の扱いとなってしまうためである。
【００１１】
そのため、例えば「戻る」ボタンだけでは再表示できない図６の（４）で示す「内部業務監査規定の第４章  監査の実施」のＷｅｂページを再表示するためには、図８で示すような操作が必要であった。先ず（１）で示す「規程管理規程細則」のＷｅｂページが表示されている状態で、１回目のＷｅｂブラウザの「戻る」ボタンで、（２）で示す「規程管理規程の第２章  規程の種類」のＷｅｂページを再表示し、２回目のＷｅｂブラウザの「戻る」ボタンで、（３）で示す「規程管理規程の第１章  総則」のＷｅｂページを再表示し、３回目のＷｅｂブラウザの「戻る」ボタンで、（４）で示す「内部業務監査規定の第３章  監査計画」のＷｅｂページを再表示した後、上記のようにＷｅｂページの参照履歴が無効の扱いになったことを意識してページ内の「次頁」をクリックして（５）で示す「内部業務監査規定の第４章  監査の実施」のＷｅｂページを表示するなどの必要があった。
【００１２】
本発明は、上記のような問題点を解決するために、Ｗｅｂページのアクセス履歴を二次元的に複数系統管理することにより、過去に参照したＷｅｂページのアクセスを容易にし、操作性と作業効率を向上させることを目的としている。
【課題を解決するための手段】
【００１３】
図１は、本発明の実施例の全体構成図を示すものである。本発明のブラウザプログラム１０はブラウジング装置１（コンピュータ）上で実行され、表示したＷｅｂページを、Ｗｅｂブラウザの「戻る」ボタン、または「次（進む）」ボタンの入力によるものか、ＵＲＬ(Uniform Resource Locator)を指定して表示を指示されたものであるかどうかを判定するページ更新判定手段１２１と、前記表示したＷｅｂページに対して、同じ系統のＷｅｂページ毎に表示された順にＵＲＬとＷｅｂページ識別情報をアクセス履歴情報として記憶装置に記憶させるアクセス履歴記録手段１２２と、Ｗｅｂブラウザの「戻る」ボタンを右クリックした際に表示されるＷｅｂページのアクセス履歴を、前記アクセス履歴情報に基づき同じ系統のＷｅｂページ毎に表示された順に表示するアクセス履歴表示手段１２３としてコンピュータを機能させるものであり、一度参照したＷｅｂページのアクセス履歴を、同じ系統のＷｅｂページ毎に利用者が参照した順にビジュアルに表示することができるため、利用者にとって過去に参照したＷｅｂページのアクセスを容易にし、操作性と作業効率を向上させることが可能となる。なお、同じ系統のＷｅｂページとは、例えば、個人、企業、施設や機関などの一つのまとまったホームページを指す。
【００１４】
また、アクセス履歴記録手段１２２は、異なる系統のＷｅｂページが表示された場合、前記異なる系統のＷｅｂページのアクセス履歴情報と前記異なる系統のＷｅｂページに分岐した元となるＷｅｂページのアクセス履歴情報と関連付けて記憶装置に記憶させ、アクセス履歴表示手段１２３は、異なる系統のＷｅｂページの分岐元のＷｅｂページのアクセス履歴と分岐先のＷｅｂページのアクセス履歴を関連づけて表示するようにすることで、例えばＡ社のホームページを参照していて興味のある製品情報のＷｅｂページが見つかり、関連するＷｅｂページを数ページ参照しＢ社の対抗製品を参照する場合、Ａ社の興味のある製品情報の先頭のＷｅｂページまでＷｅｂブラウザの「戻る」ボタンで戻った状態でＢ社のホームページへ分岐し、Ｂ社の対抗製品のＷｅｂページを参照していき、同様にＣ社のホームページに分岐しＣ社の対抗製品のＷｅｂページを参照して製品比較を行う場合など、今まで参照してきた製品情報を再表示させるときには、再表示させるＷｅｂページが明確（他系統のＷｅｂページの参照履歴と重なった後部部分）となり作業効率を向上させることが可能となる。
【発明の効果】
【００１５】
過去に参照したＷｅｂページのアクセスを容易にし、操作性と作業効率を向上させることが可能となる。
【発明を実施するための最良の形態】
【００１６】
新規にブラウザプログラムを開発した場合にも、既存のブラウザプログラムに対する機能追加にも実装できるように、既存のブラウザプログラムに対してアクセス履歴管理拡張機能として機能追加できるように構成した。
【実施例】
【００１７】
図１は、本発明の実施例の全体構成図を示すものである。本発明のブラウザプログラム１０はブラウジング装置１（コンピュータ）上で実行され、従来のブラウザプログラム本体１１にアクセス履歴管理拡張部１２を追加して、ページ更新判定手段１２１は表示したＷｅｂページを、Ｗｅｂブラウザの「戻る」ボタン、または「次（進む）」ボタンの入力によるものか、ＵＲＬ(Uniform Resource Locator)を指定して表示を指示されたものであるかどうかを判定し、アクセス履歴記録手段１２２は表示したＷｅｂページに対して、同じ系統のＷｅｂページ毎に表示された順にＵＲＬとＷｅｂページ識別情報をアクセス履歴情報として、外部記憶装置２上のアクセス履歴制御テーブル２２を参照・更新しながらアクセス履歴管理テーブル２１に記憶させ、アクセス履歴表示手段１２３はＷｅｂブラウザの「戻る」ボタンを右クリックした際に表示されるＷｅｂページのアクセス履歴を、前記アクセス履歴情報に基づき同じ系統のＷｅｂページ毎に表示された順に表示するように構成したものである。この実施例では、アクセス履歴制御テーブル２２とアクセス履歴管理テーブル２１を外部記憶２上に置いているが、メモリ上に置いて実装しても構わない。
【００１８】
なお、アクセス履歴記録手段１２２は、異なる系統のＷｅｂページが表示された場合、前記異なる系統のＷｅｂページのアクセス履歴情報と前記異なる系統のＷｅｂページに分岐した元となるＷｅｂページのアクセス履歴情報と関連付けて記憶装置に記憶させ、アクセス履歴表示手段１２３は、異なる系統のＷｅｂページの分岐元のＷｅｂページのアクセス履歴と分岐先のＷｅｂページのアクセス履歴を関連づけて表示するものとする。また、ブラウジング装置１は、通信ネットワーク３を介してＷｅｂサーバ４と接続し、入出力装置５にＷｅｂサーバ４が提供するＷｅｂページを表示する。
【００１９】
図２は、Ｗｅｂページのアクセス履歴情報を格納するテーブルである。列と行のサイズは、図３に示すアクセス履歴制御テーブルに格納されている値で決定される。アクセス履歴管理テーブルの（１，１）の位置には、Ｗｅｂブラウザが起動されたときに表示するホームページのＵＲＬとそのＷｅｂページ識別情報（ソース上、<TITLE>タグで指定されたタイトル）からなるアクセス履歴情報が格納される。以下、同様に同じ列には同じ系統のＷｅｂページのアクセス履歴情報が参照された順に格納される。また、あるＷｅｂページ（アクセス履歴情報が（ｉ，ｊ）に格納されている）から、ＵＲＬを指定するなどして異なる系統のＷｅｂページに分岐すると、列の値を＋１して分岐したＷｅｂページのアクセス履歴情報と同じ行（ｉ，ｊ＋１）に分岐先のＷｅｂページのアクセス履歴情報を格納する。
【００２０】
本実施例では、Ｗｅｂブラウザが起動されると「内部業務監査規定  第１章」が表示されるようにしてあり、利用者が順次第５章まで参照した後、第３章まで戻り「規程管理規程  第１章」へ分岐し、第３章まで参照した後、第２章に戻り、「規程管理規程細則」に分岐した例である。そのため、（１，１）から（１，５）には内部監査規定の第１章から第５章までのアクセス履歴情報が、（２，３）から（２，５）には規程管理規程の第１章から第３章までのアクセス履歴情報が、（３，４）には規程管理規程細則のアクセス履歴情報が格納される。
【００２１】
図３は、アクセス履歴管理のための制御情報が格納される。アクセス履歴制御テーブルの列数には、図２で示したアクセス履歴管理テーブルの列のサイズが格納される。この値は、システムで予め決めておいた値でも、利用者がカストマイズできるようにしておいても良い。同じようにアクセス履歴制御テーブルの行数にはアクセス履歴管理テーブルの行のサイズが格納される。現在処理中の列数、現在処理中の行数には、本発明に係るＷｅｂページのアクセス管理処理中のカレントな列数と行数が格納される。系統変更フラグは、Ｗｅｂページの系統が変更されたかどうかを表すフラグであって、初期状態ではＯＦＦとしておき、ＵＲＬを指定するなどして異なる系統のＷｅｂページに分岐するとＯＮとする。
【００２２】
図４は、本発明に係るＷｅｂページのアクセス管理処理の流れを示すフローチャートである。ステップＳ４０１からＳ４０３は、Ｗｅｂページのアクセス管理処理の初期化処理である。先ず、参照したＷｅｂページのアクセス履歴情報を格納するアクセス履歴情報管理テーブルの領域を確保する。領域の大きさは、アクセス履歴管理テーブルの１要素の大きさに、アクセス履歴制御テーブルにアクセス履歴管理テーブルのサイズとして格納されたアクセス履歴管理テーブルの列数と行数を掛け合わせた値を乗算した値である（Ｓ４０１）。次に、アクセス管理テーブルの現在処理中のＷｅｂページのアクセス履歴情報を格納する位置を表す列数（Ｉ）に１を、行数（Ｊ）に１をセットする。また、系統変更フラグをＯＦＦに初期化する（Ｓ４０２）。続いて、従来の処理であるがブラウザを立ち上げたときのホームアドレスとして設定されているホームページを表示する（Ｓ４０３）。
【００２３】
本処理ルーチンは通常はＷＡＩＴしており、Ｗｅｂページを表示する指示を受け付けると、本処理の入り口点であるＳ４０４に制御を渡される。表示すべきＷｅｂのＵＲＬがあるかどうかを判定する（Ｓ４０５）。これは、ホームアドレスとして設定されているホームページが表示されているときに、Ｗｅｂブラウザの「戻る」ボタンを押されたときなど表示すべきＷｅｂページが存在しない場合の考慮である。次に、表示しようとしているＷｅｂページが現在表示中のＷｅｂページと同じものであるかどうか、ＵＲＬを比較して判定する（Ｓ４０６）。同じ場合は、現在表示中のＷｅｂページを再表示してＳ４０４でＷＡＩＴする。
【００２４】
次に、Ｗｅｂページの表示の指示が「戻る」ボタン、または「次（進む）」ボタンによるものかどうかを判定する（Ｓ４０７）。「戻る」ボタン、または「次（進む）」ボタンによるものでない場合には、アクセス履歴制御テーブルの系統変更フラグがＯＮかどうかを判定する（Ｓ４０８）。系統変更フラグがＯＮの場合には、アクセス履歴制御テーブルの現在処理中の行数ＪにＪ＋１を格納し、系統変更フラグをＯＦＦにする。系統変更フラグがＯＮでない場合には、アクセス履歴制御テーブルの現在処理中の列数ＩにＩ＋１を格納する（Ｓ４１０）。次に、アクセス履歴管理テーブルの（Ｉ，Ｊ）の位置に表示しようとしているＷｅｂページのＵＲＬとＷｅｂページ識別情報としてタイトルを格納し（Ｓ４１２）、指定のＷｅｂページを表示して（Ｓ４１３）、Ｓ４０４でＷＡＩＴする。
【００２５】
Ｓ４０７の判定で、「戻る」ボタン、または「次（進む）」ボタンによるものである場合には、先ず系統変更フラグがＯＮかどうかを判定する（Ｓ４１５）。系統変更フラグがＯＮでない場合には、系統変更フラグをＯＮにする（Ｓ４１６）。次に、「戻る」ボタンによるものかどうかを判定する（Ｓ４１７）。「戻る」ボタンの場合には、アクセス履歴制御テーブルの現在処理中の列数ＩにＩ−１を格納し（Ｓ４１８）、そうでない場合には、列数ＩにＩ＋１を格納し（Ｓ４１９）、アクセス履歴管理テーブルの（Ｉ，Ｊ）の位置に格納されているアクセス履歴情報からＵＲＬを取得する（Ｓ４２０）。次に、ＩとＵＲＬの値を判定し（Ｓ４２１）、Ｉの値が０、または取得したＵＲＬがＮＵＬＬでない場合には取得したＵＲＬに対するＷｅｂページを表示して（４３０）、Ｓ４０４でＷＡＩＴする。
【００２６】
Ｉの値が０か、またはＵＲＬがＮＵＬＬの場合には、「戻る」ボタンによるＷｅｂページの表示指示かどうか判定し（Ｓ４２２）、「戻る」ボタンの場合には、現在処理中の行数ＪにＪ−１を格納し（Ｓ４２３）、Ｊの値が０かどうか判定する（Ｓ４２５）。Ｊの値が０の場合には、現在処理中の行数ＪにＪ＋１を格納し（Ｓ４２６）、アクセス履歴管理テーブルの（Ｉ，Ｊ）の位置に格納されているアクセス履歴情報からＵＲＬを取得し（Ｓ４２９）、Ｓ４３０に進む。
【００２７】
Ｓ４２４の判定でＪの値が０でない場合には、アクセス履歴管理テーブルの（Ｉ＋１，Ｊ）の位置に格納されているアクセス履歴情報からＵＲＬを取得し（Ｓ４２７）、取得したＵＲＬがＮＵＬＬかどうかを判定する（Ｓ４２７）。ＵＲＬがＮＵＬＬの場合にはＳ４２９に進む。ＵＲＬがＮＵＬＬでない場合には、現在処理中の列数ＩにＩ＋１を格納し（Ｓ４２８）、Ｓ４２５に戻る。
【００２８】
Ｓ４２２の判定で、「戻る」ボタンによる指定でない場合には、現在処理中の列数Ｉに０を、行数ＪにＪ＋１を格納し（Ｓ４３１）、アクセス履歴管理テーブルの（Ｉ，Ｊ）の位置に格納されているアクセス履歴情報からＵＲＬを取得し（Ｓ４３２）、取得したＵＲＬがＮＵＬＬかどうかを判定する（Ｓ４３３）。ＵＲＬがＮＵＬＬの場合には、現在処理中の列数ＩにＩ＋１を格納し（Ｓ４３４）、Ｓ４３２に戻る。ＵＲＬがＮＵＬＬでない場合にはＳ４２９へ進む。
【００２９】
図５は、「戻る」ボタンを右クリックした場合の表示例が示してある。従来の表示では、「内部業務監査規定  第１章」、「内部業務監査規定  第２章」、「内部業務監査規定  第３章」、「規程管理規程  第１章」、「規程管理規程  第２章」、「規程管理規程細則」と１次元的に表示されていて、過去に参照した「内部業務監査規定  第４章」、「内部業務監査規定  第５章」、「規程管理規程  第３章」が表示されていなかったが、本発明を適用すると参照したＷｅｂページのＷｅｂページ識別情報はすべて表示可能となり、異なる系統のＷｅｂページに分岐した場合、分岐元のＷｅｂページ識別情報（タイトル）と関連付けて分岐先のＷｅｂページ識別情報が表示することが可能となる。なお、本実施例では画面の水平方向に同じ系統のＷｅｂページ識別情報を表示しているが、同じ系統のＷｅｂページ識別情報を垂直方向に出力するなど、利用者の利用形態に合わせた表示方法が可能である。
【００３０】
図６は、従来のＷｅｂページの遷移の例が示してある。本実施例では、Ｗｅｂブラウザが起動されると「内部業務監査規定  第１章」が表示されるようにしてあり、利用者が順次第５章まで参照した後、第３章まで戻り「規程管理規程  第１章」へ分岐し、第３章まで参照した後、第２章に戻り、「規程管理規程細則」に分岐したときの従来のＷｅｂページの遷移の例である。
【００３１】
図７は、従来のＷｅｂページの遷移の例が示してある。図６において、（９）で示した「規程管理規程細則」のＷｅｂページが表示されているときに、Ｗｅｂブラウザの「戻る」ボタンのみの操作を行った場合の画面の遷移例である。過去に参照した「内部業務監査規定  第４章」、「内部業務監査規定  第５章」、「規程管理規程  第３章」は表示されていない。
【００３２】
図８は、Ｗｅｂブラウザの「戻る」ボタンのみの操作では過去に参照したにも係わらず再表示できなかった「内部業務監査規定  第４章」を再表示させる場合の操作例である。（１）で示す「規程管理規程細則」のＷｅｂページが表示されている状態で、１回目のＷｅｂブラウザの「戻る」ボタンで、（２）で示す「規程管理規程の第２章  規程の種類」のＷｅｂページを再表示し、２回目のＷｅｂブラウザの「戻る」ボタンで、（３）で示す「規程管理規程の第１章  総則」のＷｅｂページを再表示し、３回目のＷｅｂブラウザの「戻る」ボタンで、（４）で示す「内部業務監査規定の第３章  監査計画」のＷｅｂページを再表示した後、上記のようにＷｅｂページの参照履歴が無効の扱いとなったことを意識してページ内の「次頁」をクリックして（５）で示す「内部業務監査規定の第４章  監査の実施」のＷｅｂページを表示するなどの必要があった。
【図面の簡単な説明】
【００３３】
【図１】実施例の全体構成図
【図２】アクセス履歴管理テーブル例
【図３】アクセス履歴制御テーブル例
【図４】Ｗｅｂページのアクセス管理処理の流れ
【図５】「戻る」ボタンを右クリックした場合の表示例
【図６】従来のＷｅｂページの遷移例（その１）
【図７】従来のＷｅｂページの遷移例（その２）
【図８】従来のＷｅｂページの操作例
【符号の説明】
【００３４】
１      ブラウジング装置
２      外部記憶装置
３      通信ネットワーク
４      Ｗｅｂサーバ
５      入出力装置
１０    ブラウザプログラム
１１    ブラウザプログラム本体
１２    アクセス履歴管理拡張機能部
２１    アクセス履歴管理テーブル
２２    アクセス履歴制御テーブル
１２１  ページ更新判定手段
１２２  アクセス履歴記録手段
１２３  アクセス履歴表示手段
【図１】
2005157842.tif 000003
【図２】
2005157842.tif 000004
【図３】
2005157842.tif 000005
【図４】
2005157842.tif 000006
【図５】
2005157842.tif 000007
【図６】
2005157842.tif 000008
【図７】
2005157842.tif 000009
【図８】
2005157842.tif 000010